(57)【要約】【課題】ＩＣカードがスロットに中途半端に挿入されてもその誤検出を防ぎ、ＩＣカードとパネル部とが接触して破損等を防止する電子機器を提供すること。【解決手段】ＩＣカード１３０の挿入排出に際して、第二の検出器６０のレバー６２がＩＣカード１３０の表裏面およびＩＣカード１３０の挿入排出方向と平行を成す両端面と接触しない位置に配置された電子機器。【選択図】  図１
2010009545.tif 000002
【特許請求の範囲】
【請求項１】
電気的方法、磁気的方法および光学的方法から選択されるいずれかの方法により情報を保持するカードの挿入排出口を有するサブパネル、前記挿入排出口から挿入された前記カードに対して対面するように配置され、前記カードの存在を電気的方法、磁気的方法および光学的方法から選択されるいずれかの方法により検出する第一の検出器、および、第一の位置へ回動した状態で電気的にＯＮ状態となり、第二の位置へ回動した状態で電気的にＯＦＦ状態となるレバーを備えた第二の検出器とを具備する電子機器本体部と、
前記サブパネルに対して開閉可能に設けられると共に、前記第一の検出器が前記カードの存在を検出している状態において、前記第二の検出器が電気的にＯＦＦ状態からＯＮ状態に変化した際に開閉動作指示を受付け可能となるパネル部と、
を具備し、
前記カードの挿入排出に際して、前記レバーが前記カードの表裏面および前記カードの挿入排出方向と平行を成す両端面と接触しない位置に前記第二の検出器が配置されたことを特徴とする電子機器。
【請求項２】
前記挿入排出口を塞ぐために前記サブパネルに対して脱着可能に設けられると共に、前記挿入排出口側の面に突起部を有する板状の蓋部材を更に備え、
前記蓋部材が前記サブパネルに取り付けられた状態において、前記レバーが前記第一の位置へ回動するように前記突起部によって押される位置に、前記第二の検出器が前記電子機器本体部内に配置されていることを特徴とする請求項１に記載の電子機器。
【請求項３】
前記パネル部が閉じた状態でパネル部の正面に表示部が設けられていることを特徴とする請求項１または請求項２に記載の電子機器。
【請求項４】
車載用であることを特徴とする請求項１〜３のいずれか１つに記載の電子機器。
【請求項５】
前記カードが、ＩＣカードであることを特徴とする請求項１〜４のいずれか１つに記載の電子機器。
【請求項６】
デジタル放送を受信する受信手段を備え、
前記カードがＢ−ＣＡＳカードであることを特徴とする請求項１〜５のいずれか１つに記載の電子機器。
【請求項７】
ＧＰＳ信号を受信するＧＰＳ信号受信手段と、地図情報を少なくとも保持する情報記録部と、受信されたＧＰＳ信号と前記地図情報とに基づいて位置情報を表示する機能を少なくとも有する表示部とを備えたことを特徴とする請求項１〜６のいずれか１項に記載の電子機器。
【発明の詳細な説明】
【技術分野】
【０００１】
本発明は、電気的方法、磁気的方法および光学的方法から選択されるいずれかの方法により情報を保持するカードを利用する電子機器に関する。
【背景技術】
【０００２】
デジタル放送を受信する装置では、この装置にデジタル放送を受信するためのＩＣカード（Ｂ−ＣＡＳ社が発行する接触式ＩＣカードで、いわゆる「Ｂ−ＣＡＳカード」と呼ばれるカード）を差し込んで利用することが知られている。
【０００３】
一方、近年、カーナビゲーション装置として、デジタル放送も受信できるデジタル放送受信機能内蔵型のハードディスクナビゲーション装置が普及しつつある。このようなカーナビゲーション装置は、通常、ハードディスク装置やＤＶＤ装置等の主要な機器を内蔵した電子機器本体部と、この電子機器本体部のサブパネルに対して開閉可能に設けられ、液晶表示部等を備えたパネル部とから構成されている。そして、電子機器本体部のサブパネルには、ＤＶＤ等の円盤状メディアを挿入するためのスロットが設けられている（例えば、特許文献１等参照）。また、デジタル放送受信機能内蔵型の装置であれば、サブパネルには、円盤状メディア用のスロットと共に又はその代わりに、デジタル放送を受信用のＩＣカード（Ｂ−ＣＡＳ社が発行する接触式ＩＣカードで、いわゆる「Ｂ−ＣＡＳカード」と呼ばれるＩＣカード）を挿入するためのスロットが設けられる。
【０００４】
上述したデジタル放送対応型のカーナビゲーション装置などのように、ＩＣカードを挿入するスロットを少なくとも備えた電子機器本体部と、この電子機器本体部のサブパネルに対して開閉可能に設けられたパネル部とを備えた電子機器では、ＩＣカードの検出は、図４に例示するように、２つの検出器を用いて行われていた。すなわち、これら２つの検出器５０（検出スイッチ）、検出器６０（接触端子）は、ＩＣカードをスロットに挿入した際に、ＩＣカード１３０の下面側に位置するように配置されている。ここで、一方の検出器（第一の検出器５０）がＩＣカード１３０の存在を電気的に直接感知する検出器である。また、もう一方の検出器（第二の検出器６０）は、レバー６２（６２Ａ，６２Ｂ。なお、符号６２Ａ、６２Ｂはレバー６２の位置を特定した状態を示す）を備えたレバー式の検出器である。このレバー式検出器は、ＩＣカード１３０が挿入された際に、レバー６２がＩＣカード１３０の下面側と接触することによって、第二の位置（６２Ｂ）から、第一の位置（６２Ａ）へと回動することによって、このレバー６２の移動を電気的信号の変化として変換するものである。
【０００５】
そして、パネル部を開いた状態でＩＣカード１３０をスロットに挿入した場合、これら２つの検出器５０、６０が発する電気的信号が変化する。それゆえ、これらの電気的信号の変化に基づいて、ＩＣカード１３０がスロット内に挿入されたと判定されると、パネル部が自動的に閉じられる。なお、図４は、従来のＩＣカードを利用する電子機器におけるＩＣカードの検出状態について説明する概略模式図であり、図４（Ａ）が、ＩＣカード１３０が完全に挿入された状態を示す図であり、図４（Ｂ）がＩＣカード１３０を挿入する途中の段階を示す図である。また、図４中、矢印ＩはＩＣカード１３０の挿入方向、矢印ＥはＩＣカード１３０の排出方向を表す。
【０００６】
【特許文献１】特開２００４−３１９００４号公報
【発明の開示】
【発明が解決しようとする課題】
【０００７】
しかしながら、上述したＩＣカードを挿入するスロットを備えた電子機器本体部と、この電子機器本体部のサブパネルに対して開閉可能に設けられたパネル部とを備えた電子機器においては、以下のような問題があった。すなわち、ＩＣカードがスロットに中途半端に挿入された状態であっても、２つの検出器から発せられる電気的信号が、ＩＣカードがスロット内に挿入されたと判定される状態となることがあった（例えば、図４（Ａ）において、ＩＣカード１３０の挿入方向側の端面が、図中の点線上に位置している状態が挙げられる）。そして、このようなＩＣカードの誤検出が発生した場合でも、ＩＣカードが完全に挿入されていないにも係らず、パネル部が自動的に閉じようとする。それゆえ、ＩＣカードの端部と、パネル部とが接触して、両者のうちの少なくとも一方が破損したり傷ついたりしてしまうことがあった。
【０００８】
本発明は、上記事情に鑑みてなされたものであり、電気的方法、磁気的方法および光学的方法から選択されるいずれかの方法により情報を保持するカードをスロットに中途半端に挿入した状態であっても、カードの誤検出を防ぐことによって、カードの端部とパネル部とが接触して、両者のうちの少なくとも一方が破損したり傷ついたりすることを防止する電子機器を提供することを課題とする。
【課題を解決するための手段】
【０００９】
上記課題を解決するために、本発明の電子機器は、電気的方法、磁気的方法および光学的方法から選択されるいずれかの方法により情報を保持するカードの挿入排出口を有するサブパネル、前記挿入排出口から挿入された前記カードに対して対面するように配置され、前記カードの存在を電気的方法、磁気的方法および光学的方法から選択されるいずれかの方法により検出する第一の検出器、および、第一の位置へ回動した状態で電気的にＯＮ状態となり、第二の位置へ回動した状態で電気的にＯＦＦ状態となるレバーを備えた第二の検出器とを具備する電子機器本体部と、前記サブパネルに対して開閉可能に設けられると共に、前記第一の検出器が前記カードの存在を検出している状態において、前記第二の検出器が電気的にＯＦＦ状態からＯＮ状態に変化した際に開閉動作指示を受付け可能となるパネル部と、を具備し、前記カードの挿入排出に際して、前記レバーが前記カードの表裏面および前記カードの挿入排出方向と平行を成す両端面と接触しない位置に前記第二の検出器が配置されたものである。
【００１０】
また、他の発明は、上述の発明に加えて更に、前記挿入排出口を塞ぐために前記サブパネルに対して脱着可能に設けられると共に、前記挿入排出口側の面に突起部を有する板状の蓋部材を更に備え、前記蓋部材が前記サブパネルに取り付けられた状態において、前記レバーが前記第一の位置へ回動するように前記突起部によって押される位置に、前記第二の検出器が前記電子機器本体部内に配置されているものである。
【００１１】
さらに、他の発明は、上述の発明に加えて更に、前記パネル部が閉じた状態でパネル部の正面に表示部が設けられているものである。
【００１２】
また、他の発明は、上述の発明に加えて更に車載用として利用されるものである。
【００１３】
また、他の発明は、上述の発明に加えて更に、前記カードが、ＩＣカードであるというものである。
【００１４】
また、他の発明は、上述の発明に加えて更に、デジタル放送を受信する受信手段を備え、前記カードがＢ−ＣＡＳカードであるものである。
【００１５】
また、他の発明は、上述の発明に加えて更に、ＧＰＳ信号を受信するＧＰＳ信号受信手段と、地図情報を少なくとも保持する情報記録部と、受信されたＧＰＳ信号と前記地図情報とに基づいて位置情報を表示する機能を少なくとも有する表示部とを備えたものである。
【発明の効果】
【００１６】
本発明によれば、電気的方法、磁気的方法および光学的方法から選択されるいずれかの方法により情報を保持するカードをスロットに中途半端に挿入した状態であっても、カードの誤検出を防ぐことによって、カードの端部とパネル部とが接触して、両者のうちの少なくとも一方が破損したり傷ついたりすることを防止する電子機器を提供することができる。
【発明を実施するための最良の形態】
【００１７】
以下、本発明の実施形態について、各図に基づいて説明する。
図１は、本発明に用いられる電子機器本体部の一例を示す概略模式図であり、具体的には電子機器本体部内にカードが挿入された状態を示した図である。また、図２は、図１中の符合Ａ１−Ａ２間の断面図である。さらに、図３は、図１に示す電子機器本体部を有する本発明の電子機器の一例を示す概略模式図である。図３（Ａ）は、パネル部１２０が開いている時にＩＣカード１３０を挿入排出口７０から挿入した後、さらに蓋部材１２により蓋をした直後の状態を示した図である。また、図３（Ｂ）は、蓋部材１２により蓋をした後にパネル部１２０が自動的に閉じた状態を示した図である。なお、図３中、サブパネル１０やパネル部１２０に設けられるその他のスイッチやボタン類については記載を省略してある。
【００１８】
図３に示される本実施形態の電子機器は、電子機器本体部１１０と、この電子機器本体部１１０のサブパネル１０に対して、図中両矢印Ｒ方向に開閉可能に設けられたパネル部１２０とを備えている。このパネル部１２０は、電子機器本体部１１０のサブパネル１０の下側部分に取り付けられており、回動手段（不図示）によって図中矢印Ｒ方向に回動することによって開閉することができる。また、パネル部１２０は、パネル部１２０が閉じた状態においてパネル部１２０のサブパネル１０と対向する面（以下、「内側面」と称し、これと反対側の面を「外側面」と称す場合がある）には、必要に応じて種々の操作ボタンを設けたり、液晶ディスプレイやＬＥＤディスプレイ等からなる表示部（図中、内側面に設けられる表示部を符合１２２、外側面に設けられる表示部を符合１２４で示す）を設けてもよい。なお、表示部１２２、１２４がタッチパネルとしての機能を備えていてもよい。
【００１９】
電子機器本体部１１０は、図１および図２に示されるように、（１）ＩＣカード１３０の挿入排出口７０を有するサブパネル１０、（２）挿入排出口７０から挿入されたＩＣカード１３０に対して対面するように配置され、ＩＣカード１３０の存在を電気的に検出する第一の検出器５０、および、（３）第一の位置へ回動した状態（６２Ａ）で電気的にＯＮ状態となり、第二の位置へ回動した状態（６２Ｂ）で電気的にＯＦＦ状態となるレバー６２を備えた第二の検出器６０とを具備している。なお、この第二の検出器６０は、レバー６２に何等の外力が加えられない状態では、レバー６２が自動的に第二の位置６２Ｂへ回動し、この状態でレバー６２が静止するようになっている（すなわち、レバー６２のホームポジションは第二の位置６２Ｂである）。そして、サブパネル１０は、第一の検出器５０がＩＣカード１３０の存在を検出している状態において、第二の検出器６０が電気的にＯＦＦ状態からＯＮ状態に変化した際に開閉動作指示を受付け可能となるようになっている。
【００２０】
ここで、本発明では、ＩＣカード１３０の挿入排出に際して、レバー６２がＩＣカード１３０の表裏面およびＩＣカード１３０の挿入排出方向と平行を成す両端面と接触しない位置に第二の検出器６０が配置される。このような配置条件を満たすために、図１および図２に示す実施形態では、挿入排出口７０を塞ぐためにサブパネル１０に対して脱着可能に設けられると共に、挿入排出口７０側の面にリブ１４（突起部）を有する板状の蓋部材１２を更に備えている。そして、蓋部材１２がサブパネル１０に取り付けられた状態において、レバー６２が第一の位置（６２Ａ）へ回動するようにリブ１４によって押される位置に、第二の検出器６０が電子機器本体部１１０内に配置されている。
【００２１】
また、本実施形態では図１に示すように、第一の検出器５０は、ＩＣカード１３０が挿入排出口７０から完全に挿入された状態において、ＩＣカード１３０の下面側に接触するように配置される。そしてＩＣカード１３０が挿入排出口７０から完全に挿入された状態では、ＩＣカード１３０の下面側に電磁気的接点が露出するＩＣチップ（図中不図示）と第一の検出器５０とが接触するため、第一の検出器５０によりＩＣカード１３０の存在が電気的に検出される。また、この状態では、第一の検出器５０により、ＩＣチップに記録された情報を読み込んだり、ＩＣチップに情報を書きこんだりすることが可能となる。
【００２２】
この第一の検出器５０は、図１に示すように、例えば、挿入排出口７０から完全に挿入された状態のＩＣカード１３０に対して対向配置され、不図示の部材によって電子機器本体部１１０内に固定された基板３０の上面側（ＩＣカード１３０が位置する側）に取り付けることができる。
【００２３】
一方、第二の検出器６０は、例えば、図１および図２に示すように、サブパネル１０の内側に固定された基板２０上（基板２０のサブパネル１０と対向する側の面と反対側の面）に取り付けることができる。ここで基板２０は、挿入排出口７０の下側のサブパネル１０の内側面に設けられたネジ穴（不図示）を有する複数の支持部２２上に、サブパネル１０と略平行を成すように配置される。そして、ネジ２４のネジ山部分と支持部２２とで基板２０を挟み込むように、ネジ２４を基板２０に設けられた孔部（不図示）を介して支持部２２のネジ穴（不図示）にねじ込むことによって、基板２０が支持部２２に固定される。また、基板２０のサブパネル１０と対向する側の面と反対側の面と、基板３０の下側（ＩＣカード１３０と対向する面と反対側の面）とは、ハーネス４０により接続されている。
【００２４】
次に、第二の検出器６０と、蓋部材１２のリブ１４との配置関係についてより詳細に説明する。まず、図１および図２に示すように、蓋部材１２が、挿入排出口７０が外部に露出しないように閉塞するためにサブパネル１０に嵌め込まれている。この状態において、蓋部材１２を構成する板状面に垂直に設けられたリブ１４は、挿入排出口７０の下方側のサブパネル１０に設けられたリブ１４用の穴７２を介して、電子機器本体部１１０内側に略水平方向に突出している。
【００２５】
一方、挿入排出口７０の下方側のサブパネル１０と略並行に配置された基板２０は、その一端側（図１では上端側）が、電子機器本体部１１０内側へ略水平方向に突出しているリブ１４と接触しないように、リブ１４の際に位置している。そして、この基板２０の一端側で且つサブパネル１０と対向する面の反対側の面に、レバー６２に対して何等の外力も加わらない状態でレバー６２が電気的にＯＦＦ状態である第二の位置（６２Ｂ；図２中では、基板２０の表裏面と平行な方向）に回動した状態となるように第二の検出器６０が取り付けられている。なお、レバー６２は、蓋部材１２がサブパネル１０に嵌め込まれた際に、電子機器本体部１１０内側に略水平方向に突出するように位置するリブ１４と十分に接触できる長さを有している。それゆえ、蓋部材１２がサブパネル１０に嵌め込まれた際には、図２に示すように、レバー６２が、第二の位置（６２Ｂ；電気的にＯＦＦ状態）から、第一の位置（６２Ａ；電気的にＯＮ状態。図２中では、基板２０の表裏面と交差する方向）へと回動した状態となる。
【００２６】
＜ＩＣカード挿入時の電子機器の動作＞
次に、図１〜図３に示す本実施形態の電子機器の動作について、ＩＣカード１３０を挿入排出口７０から電子機器本体部１１０内へと挿入した場合についてより詳細に説明する。
まず、図３（Ａ）に示すように、パネル部１２０が開いた状態において、サブパネル１０に嵌め込まれた蓋部材１２を取り外し、挿入排出口７０からＩＣカード１３０を挿入する。ＩＣカード１３０が完全に挿入されると、ＩＣカード１３０の下面側のＩＣチップ（不図示）と第一の検出器５０とが接触する。これにより、第一の検出器５０によってＩＣカード１３０の存在が電気的に検出された状態となる。
【００２７】
次に、挿入排出口７０が外部に露出しないように閉塞するために、蓋部材１２をサブパネル１０に嵌め込む。なお、蓋部材１２をサブパネル１０に嵌め込むには、ＩＣカード１３０が完全に挿入されている必要があるため、ＩＣカード１３０の中途半端な挿入状態を確実に防ぐことができる。そして、蓋部材１２をサブパネル１０に嵌め込むことにより、蓋部材１２のリブ１４が、サブパネル１０に設けられたリブ１４用の穴７２を通り抜けて、電子機器本体部１１０内側に略水平方向に突出した状態となる。この際、リブ１４によって、第二の検出器６０のレバー６２が、第二の位置（６２Ｂ）から第一の位置（６２Ａ）へと回動する。従って、第一の検出器５０によってＩＣカード１３０の存在が電気的に検出された状態において、第二の検出器６０が電気的にＯＦＦの状態からＯＮの状態へと変化する。この電気信号の変化を受けてパネル部１２０の開閉手段（不図示）が自動的に作動して、パネル部１２０が閉じた状態となる（図３（Ｂ））。
【００２８】
＜本発明の適用による効果＞
従って、図１〜図３に例示したような本発明の電子機器では、ＩＣカード１３０の挿入排出に際して、レバー６２がＩＣカード１３０の表裏面およびＩＣカード１３０の挿入排出方向と平行を成す両端面と接触しない位置に第二の検出器６０が配置される。このため、挿入排出口７０（スロット）からＩＣカード１３０が中途半端に挿入された場合であっても、第二の検出器６０（レバー式検出器）のレバー６２が、従来のようにＩＣカード１３０の下面と接触したり、また、ＩＣカード１３０の上面や両側端面に接触して、移動することが無い。それゆえ、ＩＣカード１３０が中途半端に挿入された状態であっても、パネル部１２０が自動的に閉まることがない。以上のことから結果として、パネル部１２０と中途半端に挿入された状態のＩＣカード１３０の端部とが接触し、いずれか一方または双方が破損するのを防止できる。
【００２９】
なお、本発明において、第二の検出器６０は、ＩＣカード１３０の挿入排出に際して、レバーがＩＣカード１３０の表裏面と接触しない位置であれば、電子機器本体部１１０のいずれの位置に配置してもよい。しかしながら、第二の検出器６０のレバー６２の操作性や、不可抗力によるレバー６２の勝手な移動を防止する等の点を考慮すれば、本発明の電子機器は、図１および図２に例示する実施形態（以下、「第一の実施形態」と称す場合がある）であることが特に好適である。
【００３０】
この第一の実施形態は、挿入排出口７０を塞ぐためにサブパネル１０に対して脱着可能に設けられると共に、挿入排出口７０側の面にリブ１４（突起部）を有する板状の蓋部材１２を更に備え、蓋部材１２がサブパネル１０に取り付けられた状態において、レバー６２が第一の位置（６２Ａ）へ回動するようにリブ１４によって押される位置に、第二の検出器６０が電子機器本体部１１０内に配置されているものである。
【００３１】
第一の実施形態では、ＩＣカード１３０を電子機器本体１１０内にセットした後に、蓋部材１２をサブパネル１０に嵌め込むことで、挿入排出口７０を外部に露出しないように閉塞する。この際、ＩＣカード１３０を電子機器本体１１０内にセットすることによって、第一の検出器５０がＩＣカード１３０の存在を検出すると共に、蓋部材１２のリブ１４が第二の検出器６０のレバー６２Ａを押して第二の検出器６０をＯＦＦ状態からＯＮ状態に変化させる。従って、この状態となった時点で、パネル部１２０が自動的に閉じることになる。一方、蓋部材１２により挿入排出口７０が外部に露出しないように閉塞するには、ＩＣカード１３０が完全に挿入された状態でなければならない。それゆえ、パネル部１２０が自動的に閉じたとしてもパネル部１２０と中途半端に挿入された状態のＩＣカード１３０の端部とが接触し、パネル部１２０およびＩＣカード１３０のいずれか一方または双方が破損するのを防止できる。
【００３２】
これに加えて、第一の実施形態では、第二の検出器６０として既製品が利用できる。また、さらに、電子機器１００に衝撃が加わったり落下したりしても、挿入排出口７０が蓋部材１２で蓋をされているために、ＩＣカード１３０が電子機器本体部１１０から飛び出すのを防止することができる。
【００３３】
さらに、図４に例示したように従来技術では、第二の検出器６０は、そのレバー６２がＩＣカード１３０と接触する位置に設けられるが、これに対して第一の実施形態では、第二の検出器６０は、そのレバー６２がＩＣカード１３０と接触可能な位置に設けられない。一方、電子機器本体部１１０のＩＣカード１３０が挿入配置される部位は構造が複雑である。このため、ＩＣカード１３０が挿入配置される部位のガタや、当該部位を構成する周辺部品の公差を考慮した場合、従来の電子機器では、第二の検出器６０として、レバー長の長いレバーを備えたものを用いることが多い。しかし、レバー長の長い第二の検出器６０は、その保管や電子機器の組み立てに際して、破損が起こりやすい。
【００３４】
これに対して、第一の実施形態では、第二の検出器６０が配置される部位が、電子機器本体部１１０の筐体を構成するサブパネル１０近傍であるため、ガタつきにくく、また当該部位の周囲の構造も、ＩＣカード１３０が挿入配置される部位の構造と比べてシンプルである。それゆえ、第二の検出器６０のレバー６２のレバー長を選択する場合に、第二の検出器６０が配置される部位のガタや当該部位を構成する周辺部品の公差をあまり考慮する必要がない。従って、第一の実施形態では、第二の検出器６０として、その保管や電子機器の組み立てに際して、破損が起こり難い短いレバー長のものを選択することができる。また、このようなレバー長の短い第二の検出器６０は、電子機器の組み立てに際して、レバー６２の破損が起こり難いので工場での管理が非常に容易である。
【００３５】
＜変形例＞
以上、図１〜図３に本発明の電気機器の一例について示したが、本発明はこれ以外にも種々変形可能である。例えば、第一の実施形態では蓋部材１２に設けられたリブ１４によって第二の検出器６０のレバー６２の向きを電気的にＯＦＦ状態からＯＮ状態となる方向に切り替えているが、このような蓋部材１２を用いずにレバー６２の向きを電気的にＯＦＦ状態からＯＮ状態となる方向に切り替えられるように第二の検出器６０を電子機器本体部１０内に配置してもよい。このような実施形態としては、例えば、ＩＣカード１３０を電子機器本体部１１０内に完全に挿入した際に、ＩＣカード１３０の挿入排出口７０側と反対側の端面によって押されることにより、レバー６２が第一の位置へ回動した状態となるように、第二の検出器６０が電子機器本体部１１０内に配置されるものが挙げられる（以下、当該実施形態を「第二の実施形態」と称す場合がある）。
【００３６】
第二の実施形態では、ＩＣカード１３０を電子機器本体１１０内にセットする際に、ＩＣカード１３０が完全に挿入されない限り；すなわち挿入が中途半端な状態では、ＩＣカードの挿入排出口７０側と反対側の端面が、第二の検出器６０のレバー６２と接触できない。このため、仮に第一の検出器５０がＩＣカード１３０の存在を検出した状態となっても、第二の検出器６０がＯＦＦ状態のままであるため、パネル部１２０が自動的に閉じてしまうことが無い。それゆえ、パネル部１２０が自動的に閉じたとしてもパネル部１２０と中途半端に挿入された状態のＩＣカード１３０の端部とが接触し、パネル部１２０およびＩＣカード１３０のいずれか一方または双方が破損するのを防止できる。
【００３７】
次に、本発明の電子機器を構成する各部分の具体例についてより詳細に説明する。
既述したようにパネル部１２０の内側面や外側面には表示部１２２、１２４を設けることができる。なお、パネル部１２０の内側面に表示部１２２が設けられている場合でも、上述したようにパネル部１２０と中途半端に挿入された状態のＩＣカード１３０の端部とが接触することが無いため、表示部１２２の表面が傷ついて表示画像が見にくくなったり、表示部１２２が破損するのを防ぐことができる。
【００３８】
また、本発明で用いられるＩＣカード１３０の片面又は両面には、刻印文字などの形成を目的として凸部が設けられていてもよい。ＩＣカード１３０表面に凸部が存在する場合、従来の電子機器であれば、ＩＣカード１３０の挿入排出に際して凸部がレバー６２と接触することによって、レバー６２の破損を招いてしまうことになる。しかし、本発明では、ＩＣカード１３０の挿入排出に際してＩＣカード１３０に設けられた凸部と第二の検出器６０のレバー６２とが接触することが無い。このため、ＩＣカード１３０の挿入排出に際して、凸部とレバー６２とが接触してレバー６２が破損することを防止できる。
【００３９】
本発明の電子機器では、ＩＣカード１３０以外にも、電気的方法、磁気的方法および光学的方法から選択されるいずれかの方法により情報を保持するカードであれば如何様なカードでも利用できる。この場合、第一の検出器５０としては、カードが情報を保持する方法に対応した検出手段を備える。例えば、カードが、ＩＣカードのように電気的方法によって情報を保持する場合には、第一の検出器５０としては、電気的方法によってカードの存在を検出する電気的検出手段を備える。なお、カードは、情報の読取専用タイプであってもよく、情報の読取および書込みの双方が可能なタイプのいずれであってもよい。また、磁気的方法により情報を保持するカードとしては、片面に帯状の磁気テープを貼り付けた磁気カードが一例として挙げられる（代表的な例としては、いわゆるキャッシュカードが挙げられる）。また、光学的方法により情報を保持するカードとしては、片面にホログラムシールを貼り付けたホログラムカードが一例として挙げられる。
【００４０】
本発明の電子機器の用途は特に限定されるものではないが、車載用として用いられることが好ましい。この場合、本発明の電子機器が第一の実施形態であれば、車の振動によって電子機器本体１１０内にセットされたＩＣカード１３０が勝手に動いたとしても、レバー６２の向きがＩＣカード１３０によって固定されていないため、ＩＣカード１３０の動きに伴ってレバー６２の向きが勝手に変化することがない。それゆえ、第二の検出器６０がＯＮ状態からＯＦＦ状態に変化した際に、電子機器１００が何らかの動作を自動的に実施するようにプログラムされている場合、振動に起因する電子機器１００の誤動作を確実に防ぐことができる。
【００４１】
また、室内と異なり、車内は温度の大幅な変化が起こりやすいためにＩＣカード１３０が変形することがある。この場合でも、第一の実施形態では、レバーの向きがＩＣカード１３０によって固定されていないため、ＩＣカード１３０の変形に伴ってレバー６２の向きが勝手に変化することがない。それゆえ、それゆえ、第二の検出器６０がＯＮ状態からＯＦＦ状態に変化した際に、電子機器１００が何らかの動作を自動的に実施するようにプログラムされている場合、温度の大幅な変化に起因する電子機器の誤動作を防ぐことができる。
【００４２】
また、本発明の電子機器は、ナビゲーション機能を備えていることが好ましい。この場合、本発明の電子機器は、ＧＰＳ信号を受信するＧＰＳ信号受信手段と、地図情報を少なくとも保持する情報記録部と、受信されたＧＰＳ信号と地図情報とに基づいて位置情報を表示する機能を少なくとも有する表示部とを備えていることが好ましい。また、本発明の電子機器は、デジタル放送ＴＶとしての機能を備えていることが好ましい。また、本発明の電子機器は、デジタル放送を受信する受信手段を備え、ＩＣカード１３０がＢ−ＣＡＳカードであることが好ましい。
【００４３】
なお、表示部は、液晶ディスプレイやプラズマディスプレイ、有機ＥＬディスプレイなどの公知のディスプレイが選択でき、位置情報およびデジタル放送の表示の双方の表示機能を兼ねたものであってもよい。また、この表示部は、電子機器１００の任意の位置に設けることができるが、パネル部の外側面に設けられる表示部１２４であることが好ましい。
【００４４】
情報記録部としては、特に限定されないが、例えば、ＤＶＤ装置や、ハードディスク装置を利用することができる。また、情報記録部としてＤＶＤ装置を用いる場合、サブパネル１０には、ＩＣカード１３０用以外にＤＶＤ用の挿入排出口を別途設けることができる。
【００４５】
なお、本発明の電子機器が、車載用で、ナビゲーション機能とデジタル放送ＴＶとしての機能を備え、ハードディスク装置を内蔵している場合は、いわゆるデジタル放送受信機能内蔵型のハードディスクナビゲーション装置として用いることができる。
【産業上の利用可能性】
【００４６】
本発明の電子機器は、カーナビゲーション装置を始めとする各種の電子機器の分野において利用することができる。
【図面の簡単な説明】
【００４７】
【図１】本発明に用いられる電子機器本体部の一例を示す概略模式図である。
【図２】図１中の符合Ａ１−Ａ２間の断面図である。
【図３】本発明の電子機器の一例を示す概略模式図である。
【図４】従来のＩＣカードを利用する電子機器におけるＩＣカードの検出状態について説明する概略模式図である。
【符号の説明】
【００４８】
１０  サブパネル
１２  蓋部材
１４  リブ（突起部）
２０  基板
２２  支持部
２４  ネジ
３０  基板
４０  ハーネス
５０  第一の検出器
６０  第二の検出器
６２  レバー
６２A  レバー（ＯＮ状態となる方向を向いた状態）
６２B  レバー（ＯＦＦ状態となる方向を向いた状態）
７０  挿入排出口
７２  穴
１００  電子機器
１１０  電子機器本体部
１２０  パネル部
１２２、１２４  表示部
１３０  ＩＣカード
【図１】
2010009545.tif 000003
【図２】
2010009545.tif 000004
【図３】
2010009545.tif 000005
【図４】
2010009545.tif 000006